(57)【要約】【課題】筆記する時の把持に邪魔になることなく、携帯時を示す表示と筆記時を示す表示が行える出没式シャープペンシルに適用できる。【解決手段】前軸１３に透明性を有する目視部１３Ｃを形成するとともに、内軸９の前後に筆記時の表示部９Ｆと携帯時の表示部９Ｇを形成する。そして、ノブ２３を押圧して先部材１０を前軸１３の前端より突出した筆記時には前軸１３の目視部１３Ｃより筆記時の表示部９Ｆが目視可能となる。また、ノブ２３を押圧して先部材１０を前軸１３内に没入した携帯時には前軸１３の目視部１３Ｃより携帯時の表示部９Ｇが目視可能となる。【選択図】図１
2011224822.tif 000002
【特許請求の範囲】
【請求項１】
前軸と、前軸に連結された後軸と、前部に先部材を設けた内軸と、内軸内に内蔵された芯タンクと、芯タンクと連動するチャックと、チャックおよび芯タンクを長手方向後方に付勢するチャックスプリングと、内軸を長手方向後方に付勢するリターンスプリングとを有し、後軸の後端から突出したノブを押圧することにより先部材を前軸の前端から突出させるとともに内軸を係止手段により前進位置に係止した筆記状態で、チャックを前進させることにより芯を繰り出す出没式シャープペンシルであって、前軸に透明性を有する目視部を形成するとともに、内軸の前後に筆記時の表示部と携帯時の表示部を形成し、ノブを押圧して先部材を前軸の前端より突出した筆記時には前軸の目視部より筆記時の表示部が目視可能となり、また、先部材を前軸内に没入した携帯時には前軸の目視部より携帯時の表示部が目視可能となることを特徴とする出没式シャープペンシル。
【請求項２】
前軸の目視部に透明性を有するリングを外嵌して構成したことを特徴とする請求項１記載の出没式シャープペンシル。
【請求項３】
前軸と、前軸に連結された後軸と、前部に先部材を設けた内軸と、内軸内に内蔵された芯タンクと、芯タンクと連動するチャックと、チャックおよび芯タンクを長手方向後方に付勢するチャックスプリングと、内軸を長手方向後方に付勢するリターンスプリングとを有し、後軸の後端から突出したノブを押圧することにより先部材を前軸の前端から突出させるとともに内軸を係止手段により前進位置に係止した筆記状態でチャックを前進させることにより芯を繰り出す出没式シャープペンシルであって、前軸に開口窓からなる目視部を形成するとともに前軸の目視部に透明性を有するリングを外嵌し、更に、内軸の前後に筆記時の表示部と携帯時の表示部を形成し、ノブを押圧して先部材を前軸の前端より突出した筆記時には前軸の目視部より筆記時の表示部が目視可能となり、また、先部材を前軸内に没入した携帯時には前軸の目視部より携帯時の表示部が目視可能となることを特徴とする出没式シャープペンシル。
【請求項４】
後軸の後端から突出したノブを押圧することにより先部材を前軸の前端から突出させるとともに内軸を係止手段により前進位置に係止した筆記状態で、振ることにより生じる重量体の慣性力によりチャックを前進させて芯を繰り出すことを特徴とする請求項１乃至３のいずれか１項に記載の出没式シャープペンシル。
【請求項５】
内軸に凹溝を形成し、この凹溝に筆記時の表示部と携帯時の表示部を印刷により形成したことを特徴とする請求項１乃至４のいずれか１項に記載の出没式シャープペンシル。
【請求項６】
内軸に凹溝を形成するとともにシールに筆記時の表示部と携帯時の表示部を形成し、前記凹溝にシールを貼着することを特徴とする請求項１乃至４のいずれか１項に記載の出没式シャープペンシル。
【発明の詳細な説明】
【技術分野】
【０００１】
本発明は、軸筒の後端から突出したノブを押圧することにより、先部材を軸筒の先端より突出させるとともに、筆記時の表示部と携帯時の表示部を形成した出没式シャープペンシルに関する。
【背景技術】
【０００２】
従来、筆記体を軸方向に振ることによって芯を繰り出すシャープペンシルにおいて、軸に開口した表示窓が設けられるとともに、芯タンクの適宜の位置には表示マークが設けられ、携帯のために芯出防止装置を働かせた時に表示マークが開口窓より露出するように構成されたシャープペンシルが知られている。（特許文献１参照）
【０００３】
しかしながら、上記シャープペンシルは開口窓が手に触れるために、筆記する時に手が痛くなったり不快感を与えてしまうものであった。また、表示が携帯時の表示しかなく、筆記時を示す表示を行うことができなかった。
【先行技術文献】
【特許文献】
【０００４】
【特許文献１】実公平１−２０１５１号公報
【発明の概要】
【発明が解決しようとする課題】
【０００５】
解決しようとする問題点は、開口窓が手に触れて手を傷付けたり不快感を与えてしまうとともに、携帯時に芯出を防止する表示しか行えない点である。
【課題を解決するための手段】
【０００６】
本発明は、前軸と、前軸に連結された後軸と、前部に先部材を設けた内軸と、内軸内に内蔵された芯タンクと、芯タンクと連動するチャックと、チャックおよび芯タンクを長手方向後方に付勢するチャックスプリングと、内軸を長手方向後方に付勢するリターンスプリングとを有し、後軸の後端から突出したノブを押圧することにより先部材を前軸の前端から突出させるとともに内軸を係止手段により前進位置に係止した筆記状態で、チャックを前進させることにより芯を繰り出す出没式シャープペンシルであって、前軸に透明性を有する目視部を形成するとともに、内軸の前後に筆記時の表示部と携帯時の表示部を形成し、ノブを押圧して先部材を前軸の前端より突出した筆記時には前軸の目視部より筆記時の表示部が目視可能となり、また、先部材を前軸内に没入した携帯時には前軸の目視部より携帯時の表示部が目視可能となることを第１の特徴とする。
【０００７】
また、前軸の目視部に透明性を有するリングを外嵌して構成したことを第２の特徴とする。
【０００８】
更に、前軸と、前軸に連結された後軸と、前部に先部材を設けた内軸と、内軸内に内蔵された芯タンクと、芯タンクと連動するチャックと、チャックおよび芯タンクを長手方向後方に付勢するチャックスプリングと、内軸を長手方向後方に付勢するリターンスプリングとを有し、後軸の後端から突出したノブを押圧することにより先部材を前軸の前端から突出させるとともに内軸を係止手段により前進位置に係止した筆記状態でチャックを前進させることにより芯を繰り出す出没式シャープペンシルであって、前軸に開口窓からなる目視部を形成するとともに前軸の目視部に透明性を有するリングを外嵌し、更に、内軸の前後に筆記時の表示部を形成し、ノブを押圧して先部材を前軸の前端より突出した筆記時には前軸の目視部より筆記時の表示部が目視可能となり、また、先部材を前軸内に没入した携帯時には前軸の目視部より携帯時の表示部が目視可能となることを第３の特徴とする。
【０００９】
更にまた、後軸の後端から突出したノブを押圧することにより先部材を前軸の前端から突出させるとともに内軸を係止手段により前進位置に係止した筆記状態で、振ることにより生じる重量体の慣性力によりチャックを前進させて芯を繰り出すことを第４の特徴とする。
【００１０】
更にまた、内軸に凹溝を形成し、この凹溝に筆記時の表示部と携帯時の表示部を印刷により形成したことを第５の特徴とする。
【００１１】
更にまた、内軸に凹溝を形成するとともに、シールに筆記時の表示部と携帯時の表示部を形成し、前記凹溝にシールを貼着したことを第６の特徴とする。
【発明の効果】
【００１２】
本発明は、開口窓が手に触れて手を傷付けたり不快感を与えてしまう恐れがなく、携帯時を示す表示と筆記時を示す表示が行える利点が得られるものである。
【図面の簡単な説明】
【００１３】
【図１】図１は、本発明の実施例１の出没式シャープペンシルの筆記状態を示す断面図である。（実施例１）
【図２】図２は、図１の出没式シャープペンシルを示す平面図である。（実施例１）
【図３】図３は、図１における回転カムの突部が後軸の係止部に係止された状態を示す主要部展開図である。（実施例１）
【図４】図４は、内軸の係止突起と外段との間でリターンスプリングを仮取付した状態のシャープペンシル体を示す主要部平面図である。（実施例１）
【図５】図５は、本発明の実施例１の出没式シャープペンシルの携帯状態を示す断面図である。（実施例１）
【図６】図６は、図５の出没式シャープペンシルを示す平面図である。（実施例１）
【図７】図７は、図５における回転カムの突部が後軸のガイド溝に挿入された状態を示す展開図である。（実施例１）
【図８】図８は、本発明の実施例１の出没式シャープペンシルの前軸と後軸を螺合する状態を示す断面図である。（実施例１）
【図９】図９は、本発明の実施例２の出没式シャープペンシルの筆記状態を示す断面図である。（実施例２）
【図１０】図１０は、図９の出没式シャープペンシルを示す主要部部分断面図である。（実施例２）
【図１１】図１１は、本発明の実施例２の出没式シャープペンシルの携帯状態を示す断面図である。（実施例２）
【図１２】図１２は、図１１の出没式シャープペンシルを示す主要部部分断面図である。（実施例２）
【図１３】図１３は、本発明の実施例３の出没式シャープペンシルの筆記状態を示す断面図である。（実施例３）
【発明を実施するための形態】
【００１４】
筆記する時に把持し易く、かつ、携帯時を示す表示と筆記時を示す表示が行える出没式シャープペンシルを実現した。
【実施例１】
【００１５】
以下、図１、図２、図３、図４、図５、図６、図７および図８に基づいて本発明における実施例１の出没式シャープペンシルを説明する。また、図１の左側を前方とし、右側を後方とする。先ず、黄銅等からなる金属製のチャック１の前部を３分割して構成し、このチャック１の後部に合成樹脂製のコネクター２を圧入固着する。また、チャック１の頭部１Ａには締リング３が外嵌され、締リング３を受け止めるワッシャー４とコネクター２の前端との間に１００ｇから２００ｇ程度の比較的弱い力のチャックスプリング５が張架される。したがって、通常チャックスプリング５により後方に付勢されるチャック１の頭部１Ａは、締リング３に押圧され閉じられることによって芯６を保持する。更に、前記コネクター２の後部に合成樹脂製のパイプからなる芯タンク７が圧入固着される。この芯タンク７の外側に重量体８が長手方向に摺動可能に外嵌され、振出式シャープペンシル体の機構部が構成される。合成樹脂製の内軸９に、長手方向に伸びた２個の切溝９Ａにより撓み可能に構成された弾性部９Ｂを互いに対向させて２個構成し、それぞれの弾性部９Ｂに係止突起９Ｃを形成する。この係止突起９Ｃは前端が傾斜され後端は垂直に形成される。更に、係止突起９Ｃの後方には外鍔により外段９Ｄが構成される。また、内軸９の係止突起９Ｃの前方にわずかに細径の凹陥部９Ｅを形成する。この凹陥部９Ｅには、前後２箇所に印刷によって筆記時の表示部９Ｆと携帯時の表示部９Ｇが形成される。この表示部９Ｆ、９Ｇは印刷に限らずシールを巻いて形成しても良い。更に、内軸９の凹陥部９Ｅの前方には２つの係止突起９Ｃの１つと長手方向に延長する位置に係止突起９Ｃより太幅の前突起９Ｈを形成する。この前突起９Ｈの両側にも長手方向に伸びた切溝を形成する。前記機構部を内軸９の前方より挿入し、ワッシャー４を内軸９の前端に当接する。更に、内軸９の前部に先部材１０を着脱可能に螺合し、先部材１０の内段１０Ａと内軸９の前端によりワッシャー４を挾持する。また、先部材１０内には芯６を軽く保持する芯ホルダー１１が内蔵され、振出式のシャープペンシル体が構成される。
【００１６】
また、リターンスプリング１２の内径を前記内軸９の係止突起９Ｃの外周径より細径に構成し、このリターンスプリング１２の後方から前記シャープペンシル体を挿入し、リターンスプリング１２を適宜圧縮して内軸９の係止突起９Ｃと外段９Ｄとの間に仮取付し図４に示した状態とする。
【００１７】
前軸１３は透明あるいは着色透明の合成樹脂で構成され、更に、後端から長手方向前方に伸びた凹溝１３Ａと、凹溝１３Ａより太幅でかつ凹溝１３Ａより更に長手方向前方に伸びた長凹溝１３Ｂを互いに対向させて形成する。この凹溝１３Ａと長凹溝１３Ｂにより摺動溝を構成する。この前軸１３の把持部にはゴム等の軟質材で構成されたグリップ１４が被せられ、更に、前軸１３の後部に透明性を有する目視部１３Ｃを形成する。この前軸１３の目視部１３Ｃに透明のリング１５が外嵌される。
【００１８】
クリップ１６を一体に形成した後軸１７の内面には、長手方向に伸びたカム溝１７Ａが円周方向等間隔に３個形成され、このカム溝１７Ａの縁前端は中間部に垂直面１７Ｂを設けるとともに垂直面１７Ｂの両側に同じ方向の傾斜面１７Ｃを形成する。
【００１９】
更に、回転カム１８には、筒部１８Ａより外方向および後方に突出した突部１８Ｂが円周方向等間隔に３個形成されるとともに、その後端面に後軸１７の傾斜面１７Ｃと同方向に傾斜された傾斜部１８Ｃを構成する。この回転カム１８は、中子１９に回動可能および長手方向に摺動可能に外嵌され、かつ、中子１９の外鍔１９Ａと回転カム１８の内段１８Ｄとの間にコイルスプリング２０が取り付けられている。前記中子１９の後部外面の相対位置に係止突起１９Ｂが形成される。また、押部材２１には、突部２１Ａが円周方向等間隔に３個形成されるとともに、前部筒部２１Ｂに互いに対向する係止窓２１Ｃが２個形成される。更に、押部材２１の前端は、２つの傾斜部で構成され前方に突出した前突部２１Ｄが円周方向等間隔に６個形成される。また、押部材２１の後部には消しゴム２２が設けられるとともに、消しゴム２２を覆うノブ２３が嵌合される。
【００２０】
前記押部材２１の係止窓２１Ｃに中子１９の係止突起１９Ｂが係合され、中子１９と押部材２１が連結される。また、中子１９の後端と押部材２１の内段２１Ｅとの間には後スプリング２４が３００ｇ程度の荷重で取り付けられる。尚、この状態では前記コイルスプリング２０は５０ｇ程度の荷重で取り付けられている。
【００２１】
前記中子１９、回転カム１８、コイルスプリング２０、後スプリング２４および押部材２１が後軸１７内に前方より挿入され、押部材２１の突部２１Ａが後軸１７のカム溝１７Ａ内に挿入される。この回転カム１８と、後軸１７のカム溝１７Ａ、垂直面１７Ｂ及び傾斜面１７Ｃにより係止手段を構成する。
【００２２】
前記前軸１３にシャープペンシル体を挿入し、先ず内軸９の前突起９Ｈを前軸１３の長凹溝１３Ｂに挿入して前軸１３と内軸９を合わせた後に内軸９の係止突起９Ｃを前軸１３の凹溝１３Ａ及び長凹溝１３Ｂに挿入して前軸１３と後軸１７を螺合する。前突起９Ｈは凹溝１３Ａより太幅に構成されているので、前突起９Ｈが凹溝１３Ａに挿入されてしまう恐れはなく、確実に前軸１３の目視部１３Ｃと内軸９の表示部９Ｆ、９Ｇが位置合わせされる。この時、図８に示したように、リターンスプリング１２は中子１９に仮取付されて圧縮されており、前軸１３と後軸１７を螺合する初期時にはリターンスプリング１２の荷重を受けない為に楽に螺合することができる。そして、螺合の最終時に前軸１３の後端と内軸９の外段９Ｄによりリターンスプリング１２を更に圧縮して図５及び図６に示した携帯状態の出没式シャープペンシルを構成する。この携帯状態では、重量体８はコネクター２の外鍔２Ａと中子１９の間を摺動可能となる。また、芯タンク７の後端は押部材２１の段部２１Ｆに当接しチャック１が拡開している。
【００２３】
この携帯状態より筆記を行うためには、ノブ２３を押圧することによりシャープペンシル体、回転カム１８、中子１９および押部材２１を前進させる。そして、回転カム１８の突部１８Ｂが後軸１７のカム溝１７Ａより外れると、互いに当接されている回転カム１８の傾斜部１８Ｃと押部材２１の前突部２１Ｄが傾斜面となっているために回転カム１８が回転し、回転カム１８の突部１８Ｂが後軸１７の傾斜面１７Ｃと垂直面１７Ｂからなる係止部に係止される。この時、回転カム１８の傾斜部１８Ｃはコイルスプリング２０によっても押部材２１の前突部２１Ｄに当接されるので確実に当接することができる。この状態でノブ２３の押圧を解除すると、押部材２１は後スプリング２４により付勢されて後退し、中子１９の係止突起１９Ｂが押部材２１の係止窓２１Ｃの前端縁に当接され図１、図２および図３に示した筆記状態となる。この時、内軸９に設けられた筆記時の表示部９Ｆが前軸１３の目視部１３Ｃ及び透明なリング１５を通して目視可能となる。
【００２４】
この筆記状態において筆記を行い芯６が摩耗した場合には、本体を長手方向前方に振ることにより重量体８が前方に摺動する。そして、重量体８がコネクター２の外鍔２Ａに当接すると、重量体８の慣性力によりチャック１、コネクター２および芯タンク７が前進し、芯６が繰り出される。重量体８の慣性力は、チャック１が先部材１０の係止段１０Ｂに当接されることによって受け止められる。この時、重量体８の慣性力により生じる衝撃はチャック１が先部材１０に当接した時にリターンスプリング１２により吸収されるので、重量体８の当接音が小さくなるとともに、チャック１やコネクター２等の部材が破損したり劣化したりする恐れもない。
【００２５】
また、１本の芯６が消耗し次の芯６を追従する場合には、先ず、後軸１７の後端より突出したノブ２３を押圧すると、押部材２１の段部２１Ｆが芯タンク７の後端に当接し、チャック１、コネクター２および芯タンク７を前進させて芯タンク７内の芯６をチャック１内に追従する。そして、短くなった芯６を先部材１０の先端より排出するとともに、次の芯６を先部材１０の先端より突出させて筆記を行う。この時、リターンスプリング１２の取付時荷重は、チャックスプリング５の荷重と後スプリング２４の荷重およびコイルスプリング２０の荷重を合わせた力より大きく設定されているので、リターンスプリング１２が圧縮されることはない。
【００２６】
更に、ノブ２３を外して消しゴム２２を使用した場合は、押部材２１が３００ｇの荷重で後スプリング２４により後方に付勢されているので、消しゴム２２を使用した時に消しゴム２２がバウンドしてしまう心配はない。
【００２７】
次に、筆記を終了し先部材１０を前軸１３内に没入させる為には、ノブ２３を押圧してチャック１を拡開するとともに回転カム１８の突部１８Ｂ後端に形成された傾斜部１８Ｃに押部材２１の前突部２１Ｄを当接する。更にノブ２３を押圧すると、リターンスプリング１２を圧縮してシャープペンシル体が前進し、回転カム１８の突部１８Ｂが後軸１７の垂直面１７Ｂより外れ回転カム１８が回転する。この時、回転カム１８の傾斜部はコイルスプリング２０によっても押部材２１の前突部２１Ｄに当接されるので回転カム１８は確実に回転する。
【００２８】
この実施例１の場合には、前軸１３に挿入されたシャープペンシル体及び重量体８、また後軸１７に挿入された中子１９等の部材が、前軸１３と後軸１７を螺合する時に外れてしまう恐れがあるが、リターンスプリング１２は内軸９に仮取付されて外れる恐れがなく、組立性が向上する。更に、リターンスプリング１２の力を受けずに前軸１３と後軸１７の螺合を開始するので、重量体８等の複数の部品を前軸１３や後軸１７に挿入した状態でも比較的簡単に螺合することができる。
【００２９】
この状態でノブ２３の押圧を解除すると、リターンスプリング１２により付勢されて、シャープペンシル体が後退するとともに回転カム１８の突部１８Ｂが後軸１７のカム溝１７Ａを摺動する。そして、押部材２１の突部２１Ａ後端が後軸１７のカム溝１７Ａ後端縁に当接し図７に示した状態となる。また、先部材１０が前軸１３内に没入し図５および図６に示した携帯状態となる。この状態ではチャック１が拡開しているので、出没式シャープペンシルが振動して重量体８に慣性力が発生しても芯６が繰り出されてしまう恐れはない。また、内軸９に設けられた携帯時の表示部９Ｇが前軸１３の目視部１３Ｃ及び透明なリング１５を通して目視可能となる。
【実施例２】
【００３０】
以下、図９、図１０、図１１及び図１２に基づいて本発明における実施例２の出没式シャープペンシルを説明する。また、図９の左側を前方とし、右側を後方とする。尚、図１と同一部材は同一の符号を付してその説明を省略する。前軸１１３は透明あるいは着色透明の合成樹脂で構成される。また、前軸１１３の前部に係止段１１３Ｄを形成する。この前軸１１３の把持部にはゴム等の軟質材で構成されたグリップ１４が被せられ、更に、前軸１１３の後部に目視部１１３Ｃを形成する。この前軸１１３の目視部１１３Ｃに透明のリング１５が外嵌される。
【００３１】
後軸１１７にはクリップ１１６が取り付けられ、このクリップ１１６の受部１１６Ａ下方に位置して係止窓１１７Ｄが形成される。更に、後軸１１７には、係止窓１１７Ｄと対向する位置に長手方向に伸びたガイド溝１１７Ｅが形成される。
【００３２】
また、中子１１９に長手方向後方に伸びる弾性片１１９Ｃが形成され、この弾性片１１９Ｃに係止部１１９Ｄが形成されるとともに、後部外面の相対位置に後面が傾斜した係止突起１１９Ｂが形成される。
【００３３】
押部材１２１には、突部１２１Ａが１個形成されるとともに、前部筒部１２１Ｂに対向する係止窓１２１Ｃが２個形成される。更に、押部材１２１の後部には消しゴム２２が設けられるとともに、消しゴム２２を覆うノブ２３が嵌合される。前記中子１１９の係止突起１１９Ｂが押部材１２１の係止窓１２１Ｃに係合され、中子１１９と押部材１２１が連結される。また、中子１１９の後端と押部材１２１の内段１２１Ｅとの間には、後スプリング２４が３００ｇ程度の荷重で取り付けられている。
【００３４】
前述した中子１１９、後スプリング２４および押部材１２１が後軸１１７内に前方より挿入され、押部材１２１の突部１２１Ａが後軸１１７のガイド溝１１７Ｅに挿入される。従って、後軸１１７に対して押部材１２１は長手方向には摺動するが回動不能に構成される。また、中子１１９の弾性片１１９Ｃに形成された係止部１１９Ｄが後軸１１７の係止窓１１７Ｄに係止される。この中子１１９と後軸１１７により係止手段を構成する。
【００３５】
合成樹脂製の内軸１０９にわずかに細径の凹陥部１０９Ｅを形成する。この凹陥部１０９Ｅには、前後２箇所に印刷によって筆記時の表示部１０９Ｆと携帯時の表示部１０９Ｇが形成される。この表示部１０９Ｆ、１０９Ｇは印刷に限らずシールを巻いて形成しても良い。
【００３６】
前記前軸１１３に振出式シャープペンシル体を挿入するとともに、前軸１１３に前記後軸１１７が螺合される。尚、図９の筆記状態においては、リターンスプリング１１２は５０ｇ程度の荷重で前軸１１３の後端と内軸１０９の外段１０９Ｄの間に取り付けられている。また、前記前軸１１３の係止段１１３Ｄと先部材１０の外段はわずかに離間されている。更に、芯タンク７の後端と押部材１２１の段部１２１Ｆも適宜離間されている。この時、内軸１０９に設けられた筆記時の表示部１０９Ｆが前軸１１３の目視部１１３Ｃ及び透明なリング１５を通して目視可能となる。
【００３７】
したがって、図９に示した筆記状態では、リターンスプリング１１２により後方に付勢された振出式シャープペンシル体は、内軸１０９の後端が中子１１９の前端に当接されることによって受け止められ、中子１１９は係止部１１９Ｄが後軸１１７の係止窓１１７Ｄの後端縁に当接して係止される。また、芯タンク７の後端と押部材１２１の段部１２１Ｆの間が適宜離間されている。
【００３８】
この筆記状態において、本体を長手方向に振れば、重量体８の慣性力により先ず５０ｇ程度の荷重のリターンスプリング１１２が圧縮され重量体８の衝撃が吸収された後、先部材１０の外段が前軸１１３の係止段１１３Ｄに当接される。次に、チャック１が前進し芯６が繰り出される。
【００３９】
また、１本の芯６が消耗し次の芯６を追従する場合には、先ず、後軸１１７の後端より突出したノブ２３を押圧すると、チャックスプリング５や後スプリング２４より弱い荷重のリターンスプリング１１２が圧縮され、先部材１０の外段が前軸１１３の係止段１１３Ｃに当接される。すると、内軸１０９に当接されている中子１１９も前進が止められ、後スプリング２４を圧縮して押部材１２１が前進する。そして、押部材１２１の段部が芯タンク７の後端に当接し、更にノブ２３を押圧するとチャックスプリング５が圧縮されてチャック１、コネクター２および芯タンク７が前進し、芯タンク７内の芯６をチャック１内に追従する。そして、短くなった芯６を先部材１０の先端より排出するとともに、次の芯６を先部材１０の先端より突出させて筆記を行う。
【００４０】
更に、ノブ２３を外して消しゴム２２を使用した場合は、リターンスプリング１１２を圧縮して消しゴム２２が若干長手方向前方に移動し、先部材１０の外段が前軸１１３の係止段１１３Ｃに当接される。この状態では押部材１２１が３００ｇ程度の荷重で後スプリング２４により後方に付勢されているので、消しゴム２２は後退することなく使用することができる。
【００４１】
次に、筆記を終了し先部材１０を前軸１１３内に没入させる為には、クリップ１１６を押圧して撓ませ、クリップ１１６の受部１１６Ａで中子１１９の係止部１１９Ｄを押すことにより、中子１１９の係止部１１９Ｄが後軸１１７の係止窓１１７Ｄより外れて中子１１９が後退する。すると、押部材１２１の突部１２１Ａが後軸１１７のガイド溝１１７Ｅの後端縁に当接するとともに、先部材１０が前軸１１３内に没入して図１１及び図１２に示した携帯状態となる。この携帯状態では、リターンスプリング１１２の荷重が後スプリング２４の荷重より弱いためにチャック１は拡開していない。また、内軸１０９に設けられた携帯時の表示部１０９Ｇが前軸１１３の目視部１１３Ｃ及び透明なリング１５を通して目視可能となる。
【００４２】
再度筆記状態に戻す場合には、ノブ２３を押圧すればリターンスプリング１１２が圧縮されて振出式シャープペンシル体、中子１１９および押部材１２１が前進する。そして、中子１１９の係止部１１９Ｄが後軸１１７の係止窓１１７Ｄに係止され図９及び図１０に示した筆記状態となる。また、リターンスプリング１１２の荷重が５０ｇと弱いので本体を前方に振っても振出式シャープペンシル体が前進して筆記状態とすることができる。また、内軸１０９に設けられた筆記時の表示部１０９Ｆが透明なリング１５を通して目視可能となる。
【００４３】
この実施例２の場合には、先部材１０を突出させるためにノブ２３を押圧するが５０ｇ程度と非常に弱くなり、子供や女性でも簡単に操作することができる。更に、構造が簡単となり、低コストで製造できる利点もある。
【実施例３】
【００４４】
以下、図１３に基づいて本発明における実施例３の出没式シャープペンシルを説明する。尚、図１と同一部材は同一の符号を付してその説明を省略する。前軸２１３は透明あるいは着色の合成樹脂で構成され、更に、後端から長手方向前方に伸びた凹溝２１３Ａと、凹溝２１３Ａより太幅でかつ凹溝２１３Ａより更に長手方向前方に伸びた長凹溝２１３Ｂを互いに対向させて形成する。この凹溝２１３Ａと長凹溝２１３Ｂにより摺動溝を構成する。この前軸２１３の把持部にはゴム等の軟質材で構成されたグリップ１４が被せられ、更に、前軸２１３の後部に開口窓からなる目視部２１３Ｃを形成する。この前軸２１３の目視部２１３Ｃを覆う透明のリング１５が外嵌されて出没式シャープペンシルが構成される。
【００４５】
尚、本発明は上記実施例に限定されるものではなく、前軸、後軸、内軸、中子および押部材といった部材は複数の部材を固着して一体化することも可能である。また、コネクターと芯タンクを一体に構成しても良い。更に、前軸あるいは後軸とリングを一体で構成しても良い。更にまた、内軸の凹溝は円筒形に限らず、円筒形の一部を切り欠いて平坦に形成したり、多角形に構成しても良い。更にまた、筆記時の表示としては、「筆」といった漢字や筆記を現す記号あるいは振って芯を繰り出す「振」といった漢字や振り出しを現す記号が考えられる。更にまた、携帯時の表示としては、「携」といった漢字や携帯を現す記号等が考えられる。
【産業上の利用可能性】
【００４６】
筆記する時の把持に邪魔にならずに、携帯時を示す表示と筆記時を示す表示が行える出没式シャープペンシルに適用できる。
【符号の説明】
【００４７】
１    チャック
５    チャックスプリング
７    芯タンク
９    内軸
９Ｆ    内軸９の表示部
９Ｇ    内軸９の表示部
１０    先部材
１２    リターンスプリング
１３    前軸
１３Ｃ    前軸１３の目視部
１７    後軸
１７    回転カム
２３    ノブ
１０９    内軸
１０９Ｆ    内軸１０９の表示部
１０９Ｇ    内軸１０９の表示部
１１２    リターンスプリング
１１３    前軸
１１３Ｃ    前軸１１３の目視部
１１７    後軸
【図１】
2011224822.tif 000003
【図２】
2011224822.tif 000004
【図３】
2011224822.tif 000005
【図４】
2011224822.tif 000006
【図５】
2011224822.tif 000007
【図６】
2011224822.tif 000008
【図７】
2011224822.tif 000009
【図８】
2011224822.tif 000010
【図９】
2011224822.tif 000011
【図１０】
2011224822.tif 000012
【図１１】
2011224822.tif 000013
【図１２】
2011224822.tif 000014
【図１３】
2011224822.tif 000015